(57)【特許請求の範囲】
【請求項１】
本体を密閉する蓋の内面に通水路を形成し、この通水路に通じる給水ソケットを蓋に取付け、通水路には本体内に向う注水ノズルを設け、管部を介して本体の底部に通じる排水ソケットを蓋に取付けた使用済医療用具コンテナ。
【請求項２】
蓋の内面に形成される通水路が、空間を介在させて蓋に密着させた中蓋により形成され、中蓋に注水ノズル及び本体内に中蓋に沿う水流を発生させる水流発生ノズルを取付け、蓋を閉じたとき管部の開口が本体の底近くに通じる排水ソケットを蓋に取付けた請求項１に記載の使用済医療用具コンテナ。
【請求項３】
蓋の内面に形成される通水路が、蓋の内面に取付けられ、下面に注水ノズルが設けられ、給水ソケットに通じる枠形管であり、排水ソケットは、本体に固定されて本体底部に開口する管部に蓋を閉じたとき連結されるものである請求項１に記載の使用済医療用具コンテナ。
【請求項４】
請求項１〜３のうちの何れか１項に記載した使用済医療用具コンテナに洗浄水を給排するために付設する、この使用済医療用具コンテナ用給水装置であって、洗浄水を入れるタンク（１６）と、ヒータ（３１）を経て可撓給水管（３４）にタンク（１６）内の洗浄水を加圧し給水するラインポンプ（２９）と、ラインポンプ（２９）からの上記給水又は給水源からの圧力水をタンク（１６）に通じさせると共に、この水により作動して可撓排水管（３８）を負圧にするエジェクタ（３７）と、給水源からの圧力ある清水を直接可撓給水管（３４）に通じさせるすすぎ管（５４）とを備え、可撓給水管（３４）と可撓排水管（３８）とは、上記使用済医療用具コンテナ（Ａ）の給水ソケット（１２）及び排水ソケット（１４）に着脱自在とした、使用済医療用具コンテナ用給水装置。
【請求項５】
請求項１〜３のうちの何れか１項に記載した使用済医療用具コンテナの外面を洗浄するために使用する、この使用済医療用具コンテナ用洗浄ケースであって、水平の軸（６９）により本体部（６７）と蓋部（６８）とを水密、かつ開閉自在に結合し、本体部（６７）に排水管（７０）を設け、下面に複数の注水ノズル（８ａ）を設けた通水管（７１）を蓋部（６８）の内面に取付け、蓋部（６８）を閉じたとき、ケース内に入れた上記使用済医療用具コンテナ（Ａ）の給水ソケット（１２）に接続される給水ノズル（７２）及びこの給水ノズル（７２）から分岐して上記通水管（７１）に通じる分岐管（７３）を蓋部（６８）に設けた、使用済医療用具コンテナ用洗浄ケース。
【発明の詳細な説明】
【０００１】
【発明の属する技術分野】
この発明は、医科手術や治療、診断等の医科的処置に使用されて細菌に汚染された危険のある医療用具を収納して手術室等から洗浄処理場まで運搬するのに使用して、運搬の途中で細菌が漏出したり作業者が細菌に感染することを防止する使用済医療用具コンテナ及びこのコンテナで洗浄消毒を行なうための給水装置、更に、このコンテナの外面を洗浄するための洗浄ケースに関する。
【０００２】
【従来の技術】
手術等の際に使用されたメス、鋏、ピンセット等の医療用具は、使用後、洗浄し滅菌処理して保存しておき、次回の使用に備える。
【０００３】
使用済医療用具は、先ず回収してコンテナに収納し、洗浄処理場へ運ばれて洗浄槽内に移し、密閉した洗浄槽内でノズルにより洗浄水を吹付けて十分に洗浄される。洗浄用の水には洗剤を混入し、又必要に応じて消毒剤を混入して消毒処理を行なう。消毒処理には、消毒剤により消毒する外に、熱水により消毒するものもある。この明細書では洗剤、消毒剤を混入した洗浄用の水及び熱水を洗浄水と総称することにする。
【０００４】
使用済医療用具を手術室等で回収し、洗浄処理場まで運搬するには、途中の通路に細菌が落ちこぼれるのを防ぐため密閉できるコンテナに使用済医療用具を収納して運搬する。
【０００５】
図９は、このために使用される従来のコンテナを例示する略斜視図で、把手１を設けた本体２と、これに着脱自在な蓋３とから成り、蓋３は尾錠４により本体２に結合され、その当接部にはパッキンを設けて気密を保っている。本体２の側面や蓋３の上面に通気孔を開設し、その内側にフィルタを取付けて細菌がコンテナ外に出ないようにすると共に、蒸気滅菌に使用できるようにしたコンテナもある。
【０００６】
【発明が解決しようとする課題】
上記した従来のコンテナは、細菌に汚染された医療用具を収納し、そのまま洗浄処理場へ移動し、コンテナを開いて医療用具を取出して洗浄槽に移すものである。又、洗浄処理場で用具をコンテナから取出す時は、作業者が汚染された用具に触れるので、作業者が細菌に感染する危険もある。本発明はこのような危険のないコンテナを得ようとしたものである。
【０００７】
【課題を解決するための手段】
本発明の使用済医療用具コンテナは、本体を密閉する蓋の内面に通水路を形成し、この通水路に通じる給水ソケットを蓋に取付け、通水路には本体内に向う注水ノズルを設け、管部を介して本体の底部に通じる排水ソケットを蓋に取付けて構成し、回収した医療用具をコンテナから取出さずに洗浄消毒するようにしたものである。
【０００８】
又、本発明は、同時に、この医療用具コンテナにより医療用具を洗浄消毒するための給水装置、並びに、この医療用具コンテナの外面を洗浄するための洗浄ケースを得たものである。
【０００９】
【作用】
本体内に使用済医療用具を納めて蓋を密閉すると、本体内は外部と遮断されるから、被洗浄物に付着した細菌等が本体外に出る心配はない。給水源に通じる可撓管を給水ソケットに接続すると、水は通水路を通り注水ノズルから本体内に噴出して医療用具を洗浄する。洗浄を終って本体の底部に溜った水は、排水ソケットに接続される可撓排水管により吸引され排出される。
【００１０】
【発明の実施の形態】
図１〜図８は本発明の使用済医療用具コンテナの第１例及び給水装置を示し、図１は分解斜視図、図２は縦断面略図、図３はこのコンテナを稼動させるために付設される給水装置を示す略図、図４はコンテナの別例を示す斜視図、図５はこれの分解斜視図、図６はコンテナ内での被洗浄物洗浄と同時にコンテナ外面をも洗浄する洗浄ケースを略示する縦断側面図、図７、図８は複数の洗浄ケースの配置の２例を示す略平面図である。
【００１１】
図１、図２において、コンテナＡは、把手１を備えた本体２と、これを密閉する蓋３とを有し、蓋３は本体２にインロー式に嵌合し、蓋３に取付けた尾錠４が把手１の支持部を兼ねた係合部５に係脱自在である。蓋３の内面には、皿状の中蓋６が空間を介在させて密着している。中蓋６には複数の孔７が穿設されており、これに注水ノズル８が嵌着されている。１つの孔にはＬ形に曲った水流発生ノズル９が結合されている。蓋３には２個の孔１０、１１を穿設し、孔１０には給水ソケット１２を嵌着する。給水ソケット１２は給水装置から出た可撓給水管３４（図３）をワンタッチ式に着脱できるもので、中蓋６には届かない長さを持ち有底で、側面の孔１３を蓋３と中蓋６との間に開口させている。孔１１には排水ソケット１４を嵌着する。排水ソケット１４は、中蓋６の孔１５を貫通し、蓋３を閉じたとき本体２の底の近くまで達する長さの管部１４ａを結合しており、給水装置から出た可撓排水管３８（図３）をワンタッチ式に着脱できるものである。
【００１２】
手術室等において、使用したメス、ピンセット、鉗子、鋏等の医療用具Ｂを本体２に入れ、蓋３を閉じて尾錠４で本体２、蓋３を密に結合する。このとき各部の状態は、図２のようになり、排水ソケット１４は本体２の底に近く開口する。５６はパッキンである。図２には把手１、尾錠４を省略し、排水ソケット１４の位置をずらせて示している。医療用具Ｂは排水ソケット１４、水流発生ノズル９に衝突しないように入れる。ノズル等の入る位置を囲んで針金、金網等の障壁を設けておいてもよい。給水ソケット１２に給水装置の可撓給水管３４を、排水ソケット１４に可撓排水管３８を接続して給排水を始めると、給水ソケット１２から孔１３を通って蓋３と中蓋６との間の空間に圧入された洗浄水は注水ノズル８から本体２内に噴出し、収納された使用済医療用具Ｂを洗浄消毒する。水流発生ノズル９に入った洗浄水は、水平方向に噴出して本体内の水を攪拌して、洗浄効果を高める。洗浄を行なって本体２の底に溜った洗浄水は排水ソケット１４から吸引されて排出され、給水ソケット１２から供給される洗浄水と置換される。洗剤等を含む洗浄水による洗浄消毒を終ったならば、洗浄水の供給を停止し、コンテナ内の洗浄水を排出する。この洗浄水排出と共にコンテナＡ内が負圧になると、逆止弁５５を通って外気がコンテナ内に吸入されるから、排水は円滑に行なわれる。又この外気導入時には、洗浄水中にバブルを生じ、このため用具に付着した汚れを落す作用が行なわれる。洗浄水排出が終ったならば、次に清水を同様に循環させてすすぎ洗浄をする。
【００１３】
適度の洗浄消毒を終ったならば、給水装置の給排水を停止して可撓給水管３４、可撓排水管３８を外し、コンテナを洗浄処理場へ運び、蓋３を開いて洗浄消毒された医療用具を取出して洗浄槽へ移し、更に十分な洗浄を行なうこともある。その後、滅菌処理をする。
【００１４】
図３は、上記コンテナＡに付設されて、これに洗浄水を給排する洗浄消毒用の給水装置を示す。
【００１５】
タンク１６には給水源１７（水道水を利用する）から元弁１８、ストレーナ１９、電磁弁２０、逆止弁２１、ノズル２２を経て清水が注入される。タンク内の水位は、レベルセンサ２３、２４、２５により高低水位に調整される。
【００１６】
ボトル２６内には洗剤又は消毒剤を混合した洗剤が入れてあり、この洗剤等は、ポンプ２７、逆止弁２８を経てノズル２２の前で給水に混入される。洗剤等の混入量は、タンク１６内の清水量に対してポンプ２７を運転する時間により調節する。
【００１７】
タンク１６の底から取出された洗浄水は、ラインポンプ２９（動圧１kg/cm2）により逆止弁３０、洗浄水温度調節のための電気ヒータ３１（蒸気ヒータでもよい）を経て、一方では電動弁３２、逆止弁３３を通りコンテナの給水ソケット１２に連結される可撓給水管３４に通じ、他方では電動弁３５、逆止弁３６、エジェクタ３７を通りタンク１６内に通じている。エジェクタ３７にはコンテナの排水ソケット１４に連結される可撓排水管３８が通じており、排水ソケット１４を介して吸引したコンテナ内の洗浄水をタンク１６内に戻す。エジェクタ３７には、逆止弁３９、電動弁４０を介してア−ア回路により圧力のある水道水を通すこともできる。ヒータ３１を出た洗浄水は、電動弁３２、３５を閉じ、電動弁４１を開くと、逆止弁４２を経て排水路４３へ排出されるから、タンク１６を空にすることができる。タンク１６の高水位を越えた水は、管４４の封水曲部４５を経て排水管４６に排出され、中水位を使用しているときに、この水位を超えた水は電動弁４７を開くと排水管４６に排出され、この水は、逆止弁４８、封水曲部４９を経て排水路４３に排出される。空気管５０はフィルタ５１を介してタンク１６内を外気に通じさせる。故障のため空気管にタンク１６内の水が溢流したときは、これを排水管４６の排水漏斗５２に流入させる。
【００１８】
洗剤等を含む洗浄水による洗浄消毒が終ったならば、電動弁５３を開いてすすぎ管５４、可撓給水管３４を経てコンテナ内に清水を流し、すすぎ洗浄をする。このときは電動弁３２、３５を閉じ、電動弁４１を開いてラインポンプ２９を運転し、タンク１６内を排水し、電動弁４０を開いてア−ア回路を通した水道水によりエジェクタ３７を稼動させてコンテナ内を排水する。この洗浄消毒のための給水装置は、通常の洗濯機程度の大きさになる。
【００１９】
図１に示した第１例は、コンテナ内を密閉した状態で洗浄水の給水及び排水を行なうため、給水が多くなるに従ってコンテナ上部に空気が押込められて洗浄水の上昇が妨げられるから、厚さの大きな物品を洗浄水に沈めることができない。従って本体２を深く形成して厚さの大きい物品をも洗浄水に沈められるようにしたり、又は厚さの小さい物品の洗浄専用に使用するという不便があるが、図４〜５の第２例は、この不便を取除いたものである。図１の第１例と同等部分は同符号で示すと共に説明を省略して、次にこれを説明する。
【００２０】
蓋３には、給水ソケット１２を嵌着する孔１０、排水ソケット１４を嵌着する孔１１を穿設することは第１例と同じであるが、更に空気アダプタ５７を嵌着する孔５８を穿設する。排水ソケット１４は、第１例では下の管部１４ａを同体に結合していたが、この第２例では別体にし、管部１４ａは本体２の内壁に固定する。蓋３の内面には、扁平四角管を四角枠状に形成し、入口部６０を同一平面内に突出させた給水枠６１を取付板６２を介して取付ける。この給水枠６１には、本体２に向けて洗浄水を噴出する複数の注水ノズル８、８を下面に分散させて取付ける。この蓋３を本体２に嵌着したとき、孔１０に取付けた給水ソケット１２は、給水枠６１の入口部６０に穿設した孔６３に嵌合し、給水ソケット１２に供給される洗浄水を給水枠６１を経て注水ノズル８から本体２内に噴出させる。又、蓋３の内面には、入口部６０と並べて、両端を塞いだ扁平短管６４を取付板６２により取付け、その孔６５を排水ソケット１４に密に嵌合させる。蓋３を閉じたとき、扁平短管６４の下方に突出した短管部６６は本体２に固定の管部１４ａに密嵌する。
【００２１】
以上のように構成されるから、被洗浄物を本体２に入れて蓋３を閉じ、給水ソケット１２から洗浄水を給水すると、洗浄水は入口部６０から給水枠６１に入り、ノズル８から本体２内に噴出し、被洗浄物を洗浄する。本体２内の水量が多くなると、コンテナ内の空気は空気アダプタ５７を通ってコンテナ外に排出されるので洗浄水は本体内を自由に上昇して被洗浄物を十分に浸すことができる。この水量調整は、給水と排水との時間差により、又は本体２にレベルセンサを設けることにより、制御することができる。本体２内の水量が所定量になったならば、管部１４ａ、扁平短管６４、排水ソケット１４を通して排水する。このように給排水するための給水装置は図３に示したものがそのまま使用できる。
【００２２】
空気アダプタ５７に弁を接続して、コンテナ内への通気を止められるようにすると（図１のコンテナでは、そのままでよい）、給水時に圧縮された空気のため洗浄水が排水アダプタを通って排出され、サイフォン現象により引続いてコンテナ内の水を全部排出することができる。排水を検出するセンサを設けておき、一定時間を経ても排水されないときは、エジェクタを働かせて強制的に排水を行なう。
【００２３】
次に、コンテナは、汚れた被洗浄物を扱うときに内面だけでなく外面も汚れるので、外面を洗浄することが望ましい。内面は被洗浄物洗浄時に同時に洗浄されるが、外面洗浄は別個に行なわなければならない。図６はコンテナ内の被洗浄物洗浄と同時にコンテナの外面洗浄をも行なう洗浄ケースの１例を略示する縦断側面図である。既に説明した部分は同符号で示すと共に説明を省略して次にこれを説明する。
【００２４】
図６において、Ｃは、被洗浄物を入れ蓋３を密閉したコンテナＡを収納する洗浄ケースである。洗浄ケースＣは、本体部６７と蓋部６８とを水平な軸６９で開閉自在に枢着している。蓋部６８を閉じたとき、両部６７、６８は図６で右下りの縁部で水密に当接する。本体部６７には排水管７０が取付けてあり、この排水管７０は、タンク１６に通じさせる。蓋部６８の内面には、注水ノズル８ａを分散して設けた通水管７１が取付けてある。蓋部６８には、可撓給水管３４を接続した、蓋部６８を閉じたとき自動的にコンテナの給水ソケット１２に接続される給水ノズル７２が通水管７１とは絶縁されて取付けられており、給水ノズル７２から分岐させた分岐管７３が通水管７１に通じている。
【００２５】
以上のように構成されるから、被洗浄物を入れたコンテナＡを洗浄ケースＣに入れて蓋部６８を閉じると、コンテナＡの給水ソケット１２に給水ノズル７２が結合され、図面には示していないが同様にして蓋部６８に設けた排水ノズルがコンテナの排水ソケットに接続されてコンテナ内の被洗浄物の洗浄消毒を行なうことができる。同時に分岐管７３から通水管７１へ送られた洗浄水が注水ノズル８ａからコンテナＡの外面に噴射されてコンテナ外面を洗浄する。外面を洗浄した洗浄水は、コンテナ内から排出された洗浄水と共にタンク１６へ戻る。
【００２６】
図７は、以上のようなコンテナＡの外面を洗浄する洗浄ケースＣを並列させて設け、洗浄を行なっていない洗浄ケースを自動的に選択して能率よく洗浄を行なう装置の概要を示す。未洗浄の被洗浄物を入れたコンテナＡは、作業台７４ａから自走式のローラコンベア７５に載せられて、図７の左方から右方へ送られる。コンベア７５の側方には複数（図７では３）の洗浄ケースＣが並列しており、各ケースＣの前にはコンテナＡの底部両側を支えて、これをケースＣの前まで移動させるためのローラコンベア７６が設けられている。各ケースＣの前には、プッシャ７７があって、コンピュータ制御によりコンテナＡが洗浄消毒を行なっていない洗浄ケースＣの前に来ると、これをコンベア７６の上に押し出す。そこでこのコンテナＡを洗浄ケースＣに入れ、コンテナＡ内の被洗浄物及びコンテナ外面の洗浄消毒を行なう。洗浄消毒を終ったならば、洗浄ケースＣを開き、コンテナＡをローラコンベア７６を経て自走式のローラコンベア７５に載せ、右方の作業台７４ｂの前まで送る。この位置でプッシャ７７がコンテナを作業台７４ｂに載せる。洗浄作業中の洗浄ケースを避けて空いている洗浄ケースＣを選択し、プッシャ７７を動作させてコンテナをこの洗浄ケースＣに入れて所定の洗浄消毒作業を行ない、作業終了後、コンテナをローラコンベア７５の上に移し、コンベア７５の終端でプッシャ７７によりコンテナを作業台７４ｂの上に押出す等の操作は、図示しないコンピュータにより制御される。このようにして複数の洗浄ケースＣは、並列的に稼働して交互にコンテナＡの外面を洗浄する。
【００２７】
図８は、２つの自走式ローラコンベアの入口側コンベア７５ａ、出口側コンベア７５ｂの間に複数（図８では２）の洗浄ケースＣを置き、コンベア７５ａ、７５ｂとケースＣとの間にコンテナＡの底部両側を支えるコンベア７６ａ、７６ｂを設け、入口側のコンベアの側方にプッシャ７７を設けた配列を示す。これの動作は、図７の装置と同様である。
【００２８】
【発明の効果】
(a) 本発明の使用済医療用具コンテナは、手術室等において施術者又は補助者が用具を収納したコンテナを、給水装置に連結して洗浄消毒を行なって細菌付着の危険度を著しく軽微にするから、用具取出しの際の感染の危険がなくなる。
【００２９】
(b) 運搬作業者又は洗浄作業者がコンテナから医療用具を出す際にも、作業者が細菌に感染する危険がない。
【００３０】
(c) 蓋に中蓋又は給水枠、給排水用ソケット、ノズルを取付けたコンテナの構造は簡単であり、容易に造ることができる。
【００３１】
(d) コンテナに付設される給水装置は、小さくできるから、室内に置いても邪魔にならず、コンテナによる洗浄消毒を効果的に行なうことができる。
【図面の簡単な説明】
【図１】本発明による使用済医療用具コンテナの第１例の分解斜視図。
【図２】同上の縦断面略図。
【図３】このコンテナを稼動させるための給水装置の略図。
【図４】本発明の使用済医療用具コンテナの第２例の斜視図。
【図５】同上の分解斜視図。
【図６】洗浄ケースの縦断側面図。
【図７】コンテナの並列式外面洗浄装置を略示する平面図。
【図８】コンテナの貫通式外面洗浄装置を略示する平面図。
【図９】従来のコンテナを例示する略斜視図。
【符号の説明】
１  把手
２  本体
３  蓋
４  尾錠
５  係合部
６  中蓋
７  孔
８、８ａ  注水ノズル
９  水流発生ノズル
１０、１１  孔
１２  給水ソケット
１３  孔
１４  排水ソケット
１４ａ  管部
１５  孔
１６  タンク
１７  給水源
１８  元弁
１９  ストレーナ
２０  電動弁
２１  逆止弁
２２  ノズル
２３、２４、２５  レベルセンサ
２６  ボトル
２７  ポンプ
２８  逆止弁
２９  ラインポンプ
３０  逆止弁
３１  電気ヒータ
３２  電動弁
３３  逆止弁
３４  可撓給水管
３５  電動弁
３６  逆止弁
３７  エジェクタ
３８  可撓排水管
４９  逆止弁
４０、４１電動弁
４２  逆止弁
４３  排水路
４４  管
４５  封水曲部
４６  排水管
４７  電動弁
４８  逆止弁
４９  封水曲部
５０  空気管
５１  フィルタ
５２  排水漏斗
５３  電動弁
５４  すすぎ管
５５  逆止弁
５６  パッキン
５７  空気アダプタ
５８  孔
６０  入口部
６１  給水枠
６２  取付板
６３  孔
６４  扁平短管
６５  孔
６６  短管部
６７  本体部
６８  蓋部
６９  軸
７０  排水管
７１  通水管
７２  給水ノズル
７３  分岐管
７４ａ、７４ｂ  作業台
７５、７５ａ、７５ｂ  ローラコンベア
７６、７６ａ、７６ｂ  ローラコンベア
７７  プッシャ
Ａ  コンテナ
Ｂ  医療用具
Ｃ  洗浄ケース
【図１】
0003751106.tif 000002
【図２】
0003751106.tif 000003
【図３】
0003751106.tif 000004
【図４】
0003751106.tif 000005
【図５】
0003751106.tif 000006
【図６】
0003751106.tif 000007
【図７】
0003751106.tif 000008
【図８】
0003751106.tif 000009
【図９】
0003751106.tif 000010